(57)【要約】  【課題】主として暗い室内において植物に光を照射することによって、室内の天井部に明暗部分を生じさせ、それによって天井部に植物の影を投影させることができるという、上記従来の植物への光照射装置や植物のディスプレイ装置等によっては得ることができなかった独自の効果を現出しうる、光照射による植物の影の投影装置を提供することを課題とする  【解決手段】植物を植設するための植栽基盤が収容される内側容器と、該内側容器内の植栽基盤に植設される植物に対して下方から光を照射する光源と、前記内側容器と光源とが収容され、不透明な側壁部が上下方向に延在する筒状に形成された外側容器とが具備されていることを特徴とする。【選択図】図２
2014089833.tif 000002
【特許請求の範囲】
【請求項１】
植物（３）を植設するための植栽基盤（２）が収容される内側容器（１）と、該内側容器（１）内の植栽基盤（２）に植設される植物に対して下方から光を照射する光源（４）と、前記内側容器（１）と光源（４）とが収容され、不透明な側壁部が上下方向に延在する筒状に形成された外側容器（５）とが具備されていることを特徴とする光照射による植物の影の投影装置。
【発明の詳細な説明】
【技術分野】
【０００１】
本発明は、光照射による植物の影の投影装置、さらに詳しくは、癒し効果等を目的として、植物に光を照射することでその植物の影を主として暗い室内の天井部に投影させる植物の影の投影装置に関する。
【背景技術】
【０００２】
従来、癒し効果等を目的として、植物に光を照射する照明装置や植物のディスプレイ装置に関する特許出願として、たとえば特許文献１や特許文献２のような特許出願がなされている。
【０００３】
特許文献１に係る発明は照明装置に関するもので、当該特許文献１の請求項１に記載されているように、光源を備えた装置本体と、その光源から照射される光を通過させるための光通過空間を形成し得るような植物保持体とが具備され、その植物保持体には、植物を光通過空間側に延出する姿勢で保持するための植栽部がさらに具備された構成からなるものである。
【０００４】
この特許文献１に係る発明によれば、当該特許文献１の段落［００３３］に記載されているように、照射された光が、光通過空間に延出する植物の葉によって部分的に遮られて室内空間における床面や壁面や家具等に至るようになり、木漏れ日的な照明を実現することができ、木漏れ日的な光を創出することで、見る者にストレスの解消や癒し等を与えることができる。
【０００５】
また特許文献２に係る発明は植物のディスプレイ装置に関するもので、当該特許文献２の請求項１に記載されているように、窓部が前面側に間隔をおいてパネルで囲われたディスプレイユニットと、その窓部に臨んで設置される植生パネルと、その植生パネルに植え付けられた低背な植物を前面側の側方から照らす照明装置とが具備され、照明装置には、複数個のＬＥＤ照明と、そのＬＥＤ照明の前側近傍に配置される導光レンズとがさらに具備され、ＬＥＤ照明の光が導光レンズによって植生パネルの表面に均一に照射されるように構成されたものである。
【０００６】
この特許文献２に係る発明によれば、当該特許文献２の段落［００１１］に記載されているように、ＬＥＤ照明の光を導光レンズによって植生パネルの表面に均一に照射することによって、植物の緑を美しく見せ、それによって癒し等を与えることができる。
【０００７】
しかし、上記特許文献１に係る照明装置は、光の照射により植物自体に明暗の部分を生じさせるものであり、また特許文献２に係る植物のディスプレイ装置は、光の照射により植物自体の色を美しく見せるものであり、光を照射することで壁面等に明暗の部分を生じさせて植物の影を壁面等に投影させるようなものではない。そして、そのような植物の影を壁面等に投影させるような装置は未だ開発されていない。
【先行技術文献】
【特許文献】
【０００８】
【特許文献１】特開２０１２−１０４４２０号公報
【特許文献２】特開２０１１−２３９７０６号公報
【発明の概要】
【発明が解決しようとする課題】
【０００９】
本発明は、このような点に鑑みてなされたもので、主として暗い室内において植物に光を照射することによって、室内の天井部に明暗部分を生じさせ、それによって天井部に植物の影を投影させることができるという、上記従来の植物への光照射装置や植物のディスプレイ装置等によっては得ることができなかった独自の効果を現出しうる、光照射による植物の影の投影装置を提供することを課題とする。
【課題を解決するための手段】
【００１０】
本発明は、このような課題を解決するためになされたもので、植物を植設するための植栽基盤が収容される内側容器と、該内側容器内の植栽基盤に植設される植物に対して下方から光を照射する光源と、前記内側容器と光源とが収容され、不透明な側壁部が上下方向に延在する筒状に形成された外側容器とが具備されていることを特徴とする光照射による植物の影の投影装置を提供するものである。
【００１１】
このような構成からなる植物の影の投影装置は、内側容器に植栽基盤が収容され、該植栽基盤に植物が植設された状態で、外側容器が主として暗い室内の床面等の任意の箇所に設置され、光源からの光が、内側容器内の植栽基盤に植設された植物に照射されるようにして使用されるものである。
【００１２】
この場合において、光源は、内側容器内の植栽基盤に植設される植物に対して下方から光を照射しうるように設けられているので、光源から植物に対して照射される光は、下側から上向きに照射されることとなり、その結果、照射される光と、その光が植物によって遮られる影の部分とで、暗い室内の天井部に明暗部分が生じることになり、それによって、植物の影が室内の天井部に投影されることとなる。また上下方向に延在する筒状の外側容器の側壁部は不透明に形成されているので、外側容器内で下方の光源から植物に対して照射される光は、外側容器の外部に不用意に透過されるおそれがなく、上下方向に延在する筒状の外側容器の側壁部に反射されつつ或いは直進しつつ、該外側容器の内部に極力沿うようにして下側から上向きに進行することとなり、その結果、植物の影は、室内の天井部に鮮明に投影されることとなる。
【発明の効果】
【００１３】
以上のように、本発明によれば、主として暗い室内において植物に光を照射することによって、室内の天井部に明暗部分を生じさせ、それによって天井部に植物の影を投影させることができるという、従来の植物への光照射装置や植物のディスプレイ装置等によっては得ることができなかった独自の効果を現出しうる、光照射による植物の影の投影装置を提供することができる。
【図面の簡単な説明】
【００１４】
【図１】一実施形態の植物の影の投影装置の概略側面図。
【図２】同投影装置の縦断面図。
【図３】外側容器を概略的に示す平面図。
【図４】外側容器を概略的に示す底面図。
【図５】光透過板を示す図で、（Ａ）は平面図、（Ｂ）は（Ａ）のＡ−Ａ線断面図。
【図６】支持脚を示す側面図。
【図７】光源保持台を示す図で、（Ａ）は平面図、（Ｂ）は（Ａ）のＢ−Ｂ線断面図。
【図８】他実施形態の植物の影の投影装置の概略側面図。
【図９】同投影装置の縦断面図。
【図１０】外側容器を概略的に示す平面図。
【図１１】外側容器を概略的に示す底面図。
【発明を実施するための形態】
【００１５】
本実施形態の光照射による植物の影の投影装置は、植物を植設するための植栽基盤が収容される内側容器と、該内側容器内の植栽基盤に植設される植物に対して下方から光を照射する光源と、前記内側容器と光源とが収容され、不透明な側壁部が上下方向に延在する筒状に形成された外側容器とが具備されているものである。
【００１６】
このような光照射による植物の影の投影装置は、主として室内の天井部に光が照射されるようにして用いられる。植栽基盤としては、たとえば土壌が用いられ、土壌としては、天然土壌、人工土壌のいずれも用いられうる。また、たとえば植物を植生させうる繊維状物等、土壌以外の植栽基盤も使用されうる。植物の種類も特に限定されるものではないが、内側容器内で植栽基盤に植設され、下方の光源からの光の照射によって室内の天井部に影が投影されるような植物に本発明が適用されることとなる。室内の天井部に投影される影は、具体的には植物の葉、花、茎等の形状の輪郭に沿った影である。
【００１７】
内側容器としては、植栽基盤が収容され、植栽基盤に植物が植設されるようなものであればよく、たとえば上面が開口する筒状のような形状のものが用いられる。また内側容器の材質も特に限定されるものではなく、セラミック等の無機材料製のもの、金属製のもの、木製のもの、合成樹脂製のもの、繊維製のもの等が使用される。尚、植物の葉や花等の形状の輪郭に沿った影が天井部に投影されるためには、その植物の葉や花等が内側容器の外側にはみ出すように、内側容器内の植栽基盤に植物が植設されることが望ましい。従って、植物の葉や花等が内側容器の外側にはみ出すように、植物と内側容器との大きさの調整がなされることが望ましい。
【００１８】
外側容器としては、内側容器と光源とが収容されるようなものであり、上下方向に延在する側壁部が不透明に形成されたようなものであればよい。たとえば上面が開口する有底筒状のような形状に形成される。尚、上面が開口していることは本発明に必須の条件ではなく、たとえば透明な蓋状のプレートが上面に設けられていてもよい。ただし、光源からの光は透明な蓋状のプレートを透過するものの、完全に透過するわけではないので、下側から上側に向かう光の進行を妨げないようにする観点からは、上面が開口する筒状に形成されていることが望ましい。
【００１９】
また、外側容器の底面部は、光源を設置する観点からは形成されていることが望ましく、従って上記のような有底筒状に外側容器が形成されていること望ましいが、外側容器に底面部が形成されることは本発明に必須の条件ではない。要は、内側容器内の植栽基盤に植設される植物に対して下方から光を照射しうるように、光源が設けられていればよい。
【００２０】
さらに外側容器の側壁は、下側から上側に向かってわずかに幅広となるテ−パ状となるように形成されることが望ましい。下側から上側に向かってわずかに幅広となるテ−パ状となるように形成されることで、その不透明な側壁部に沿って光はわずかに斜め上向きに進行し易くなり、天井部には外延の明の部分の内側に植物の影の暗の部分が生じ、全体として植物の葉や花等の影の輪郭が欠落することなくきれいに天井部に投影されることとなる。このような観点から、外側容器の底面部に対して側壁部のなす角度は、９５°〜１０５°程度が好ましい。ただし側壁部が真っ直ぐ、すなわち外側容器の底面部に対して側壁部のなす角度が９０°となるように形成されていてもよい。
【００２１】
さらに外側容器の材質も、たとえば金属製のもの、セラミック等の無機材料製のもの、木製のもの、塗料、染料、顔料等で不透明に着色された合成樹脂製若しくは繊維製のもの等が使用される。
【００２２】
さらに、内側容器の外壁と外側容器の内壁との間の間隔は、内側容器の径の１／２〜１／５程度であることが好ましい。内側容器の外壁と外側容器の内壁との間の間隔が内側容器の径の１／２以下とされることで、光が拡散しすぎないようにすることができ、外側容器の側壁の内面側に沿って、光は上向きに進行し易くなる。一方、内側容器の外壁と外側容器の内壁との間の間隔が内側容器の径の１／５以上とされることで、光が上向きに進行するのが妨げられるおそれが少なくなる。
【００２３】
また、光源の種類も問うものではなく、たとえばＬＥＤ電球等が光源として使用される。また白熱灯等も使用されうる。
【００２４】
光源の上部には、たとえば光を透過させる光透過板が設けられ、その光透過板上に内側容器が設置される。光透過板は、たとえば外側容器の内壁面に沿って設けられた支持脚に支持されることによって外側容器内に設置される。光透過板の下方には光源が設けられ、それによって内側容器の下方に光源に設けられることとなる。光源からの光は光透過板を透過し、内側容器に収容された植物に照射されることとなる。光源からの光は、光透過板を透過する一方で、外側容器内で拡散する。しかし、外側容器の側壁が不透明であるので、外側容器の外側へ不用意に光が透過されることはなく、外側容器の側壁の内面側で反射されつつ或いは直進しつつ外側容器の内部に極力沿うようにして上向きに進行し易くなる。
【００２５】
光透過板の外側縁と、外側容器の側壁の内面との間にわずかな隙間が形成されるように、光透過板が外側容器内に配置されることが望ましい。このような隙間が形成されることによって、光透過板の下部に熱がこもるのが防止され、前記隙間から熱が上側に放出されることとなる。
【００２６】
光透過板は、たとえばアクリル酸やメタクリル酸をモノマーとする重合体若しくは共重合体からなる樹脂で構成される。このようなアクリル樹脂系の樹脂で構成され、透明に形成されることによって光が透過されるように構成されている。光源は、たとえば外側容器の底面に設置された光源保持台に保持される。外側容器内に設置される光源の数も限定されるものではなく、１個であってもよく、２個以上であってもよい。要は内側容器内の植栽基盤に植設される植物に対して下方から光を照射しうるように設けられていればよい。
【００２７】
以下、本発明のより具体的な実施形態について図面に従って説明する。
【００２８】
（実施形態１）
一実施形態の植物の影の投影装置は、図１及び図２に示すように、植物３が植設される植栽基盤２が収容される内側容器１と、該植物３に対して下方から光を照射しうる光源４と、前記内側容器１及び光源４が上下に配置されるように収容され、該光源４からの光を不用意に透過させない不透明な外側容器５とを具備するものである。内側容器１は着色された不透明なポリプロピレンで構成され、外側容器５は、内側面及び外側面に金属色の塗料が塗装された不透明なＡＢＳ樹脂で構成されている。
【００２９】
また、内側容器１及び外側容器５は、いずれも側壁が下側から上側に向かってわずかに径大となるテーパ面を有する有底円筒状に形成されている。具体的には内側容器１及び外側容器５の側壁が底面部と約１００°の角度をなすように形成されている。さらに、植栽基盤２としては天然土壌が用いられている。
【００３０】
内側容器１は載置台６に載置されており、該載置台６は光透過板７に載置されている。そして、この光透過板７は、外側容器５の内壁面５ｂに沿って４箇所に設けられた支持脚８に支持されている。すなわち、４箇所の支持脚８の上端８ａに光透過板７が載置されている。支持脚８の外側縁８ｂは、図６に示すように、外側容器５の内壁面に沿うように下側から上側に向かってテーパ状に広がるように形成されている。また同図に示すように、支持脚８の上端８ａは平坦に形成され、該上端８ａの直下の外側縁８ｃは、真っ直ぐに形成されている。
【００３１】
光透過板７は、図５（Ａ）に示すように平面円形のものであり、同図（Ｂ）のように周縁には立ち上がり部７ａが形成されている。そして、図２に示すように、光透過板７の外側部分が支持脚８の上端８ａに当接し、該光透過板７の立ち上がり部７ａが支持脚８の上端８ａの直下の外側縁８ｃに当接して、該光透過板７の立ち上がり部７ａが、支持脚８の上端８ａの直下の外側縁８ｃに係止されている。このように光透過板７の立ち上がり部７ａが、支持脚８の上端８ａの直下の外側縁８ｃに係止されることで、光透過板７はガタつくことなく支持脚８に支持されることとなる。
【００３２】
また、このように光透過板７の立ち上がり部７ａが、支持脚８の上端８ａの直下の外側縁８ｃに係止された状態において、光透過板７の外側縁と外側容器１の側壁の内面との間には、隙間が形成されている。このような隙間が形成されることで、光透過板７の下部に熱がこもるのが防止され、光源４の熱はその隙間から上側に放出されることとなる。
【００３３】
また上記のように、光透過板７及び載置台６に内側容器１が載置された状態において、外側容器５の上端５ａの高さが内側容器１の上端１ａの高さよりも高くなるように内側容器１の高さが設定されている。
【００３４】
外側容器５の底面部５ｃの中央には、光源保持台９が設けられている。この光源保持台９は、図７に示すように、内壁面９ａが下側から上側に向かってテーパ状に広がるような略円筒状に形成されており、同図（Ａ）に示すように上下方向に切欠部１０が形成されている。そして、光源４の下部４ａが前記光源保持台９に嵌入されることによって、光源４が光源保持台９に保持されている。光源４は、外側容器５の底面部５ｃの中央に設けられることとなるので、結果として、光源４は内側容器１の真下に設けられることとなる．
【００３５】
光源４としては、本実施形態ではＬＥＤ電球が用いられている。また外側容器５の底面部５ｃにおける中央の光源保持台９の側方には、孔１１が穿設されている。この孔１１は、後述のように、コード１２を外側容器５の外側に延出するためのものであるとともに、光源４の熱を外側容器５の外部に放出するためのものである。
【００３６】
また外側容器５の底面部５ｃの裏面側には、図２及び図４に示すように、脚部１４が突設されている。この脚部１４は、図４に示すように、底面視において一箇所に切欠部１５を有する略リング状に形成されている。
【００３７】
光源４の下部４ａにはコード１２が接続されており、そのコード１２は、前記外側容器５の底面部５ｃの孔１１から該外側容器５の外側に延出されている。コード１２の先端にはプラグ１３が設けられている。
【００３８】
そして、上記のような構成からなる植物の影の投影装置を使用する場合には、植物の影が室内の天井部に投影されるような夜間等の暗い室内の床面の適宜の位置に外側容器５が載置され、プラグ１３が電源の差し込み口に差し込まれて使用される。これによって光源４が点灯して発光する。
【００３９】
光源４の上部には、支持脚８に支持されて透明な光透過板７が設置されており、その光透過板７上に、載置台６を介して内側容器１が載置されているので、光源４からの光は透明な光透過板７を透過し、内側容器１に収容された植物に照射される。この場合において、外側容器５は、金属色の塗料が塗装された不透明なＡＢＳ樹脂で構成されているので、光源からの光は外側容器５の内壁面５ｂに反射され、外側容器５の外側に光が不用意に透過するおそれが少なく、従って光源４から直進する光及び外側容器５の内壁面５ｂに反射された光が、内側容器１に収容された植物に効率的に照射されることとなる。
【００４０】
特に、外側容器５の上端５ａの高さが内側容器１の上端１ａの高さよりも高くなるように内側容器１の高さが設定されているので、光源４からの光が、より効率的に植物に照射されることとなる。
【００４１】
このように光源４から植物に光が照射されることで、進行する光と、その光が植物によって遮られる影とにより、室内の天井部に明暗部分が生じることとなり、それによって植物の影が天井に投影されることとなる。特に、本実施形態では、外側容器５が金属色に塗装されたＡＢＳ樹脂で構成されているので、光源４からの光は外側容器５の内壁面５ｂに反射され、また外側容器５の上端５ａの高さが内側容器１の上端１ａの高さよりも高くなるように内側容器１の高さが設定されているので、光源４からの光は外側容器５の外側へ不用意に透過することがなく、内側容器１内の植栽基盤２に植設され植物３に効率的に照射されることとなり、それによって天井部に投影される植物の影が非常に鮮明なものとなる。
【００４２】
また光源４からの光は、金属色に塗装された外側容器５によって反射され、該外側容器５の外側に不用意に透過されることがないので、いわゆる間接照明的な効果も現出されることとなる。
【００４３】
以上のように、本実施形態では、光源４からの光を植物に照射することで、暗い室内の天井部に植物の鮮明な影を投影することができ、従来の植物への光照射装置や植物のディスプレイ装置等によっては得ることができなかった効果を現出させることが可能となる。
【００４４】
（実施形態２）
本実施形態では、図９に示すように、外側容器５内に光源４が３個設けられており、この点で光源４が１個のみ設けられていた上記実施形態１と相違している。この光源４の個数に応じて、光源保持台９は、図１０に示すように、外側容器５の底面部５ｃに、３個等角間隔に設けられている。従って、該光源保持台９に保持される光源４も、外側容器５内で等角間隔に３個配置されることとなる。このような光源保持台９に光源４が嵌入されることにより、３個の光源４は、実施形態１のように内側容器１の真下ではなく、真下からわずかに側方の斜め下の位置に設けられることとなる。ただし、内側容器１の下方に光源４が設けられている点では実施形態１と共通している。
【００４５】
また本実施形態では、図１０に示すように、光透過板７を支持するための支持脚８のうち、幅の短い支持脚８が計６個設けられているとともに、幅の長い支持脚８が計３個設けられて、計９個の支持脚８が設けられている。この点で、計４個の支持脚８が設けられていた実施形態１と相違する。
【００４６】
さらに本実施形態では、外側容器５の底面部５ｃの裏面側の脚部１４の計３箇所に切欠部１５が形成されており、この点で切欠部１５が１箇所にのみ形成されていた実施形態１と相違する。
【００４７】
さらに本実施形態では、コード１２を外側容器５の外側に延出させるための孔１１が、外側容器５の底面部５ｃの中央に穿設されており、その孔１１の穿設位置が実施形態１と相違する。
【００４８】
内側容器１及び外側容器５の形状と材質、植栽基盤２として天然土壌が用いられている点、支持脚８に光透過板７が支持され、該光透過板７に載置台６を介して内側容器１が載置されている点、外側容器５の内壁面５ｂに沿って支持脚８が設けられている点、支持脚８の上端８ａの直下の外側縁８ｃに光透過板７の立ち上がり部７ａが係止されている点、光源４が光源保持台９に保持されている点、光透過板７及び載置台６に内側容器１が載置された状態において、外側容器５の上端５ａの高さが内側容器１の上端１ａの高さよりも高くなるように内側容器１の高さが設定されている点等は、実施形態１と共通するため、その説明は省略する。
【００４９】
本実施形態においては、外側容器５内に光源４が３個設けられているので、実施形態１のものに比べて、外側容器５や内側容器１がより大きな装置に適用することができ、その分、内側容器１に収容される植物についても、より大きな植物を用いることができる。
【００５０】
本実施形態においても、光源４からの光が植物に照射されて、暗い室内の天井部に植物の鮮明な影を投影することができ、従来の植物への光照射装置や植物のディスプレイ装置等によっては得ることができなかった効果を現出させることが可能となる。
【００５１】
（その他の実施形態）
尚、上記実施形態では、透明な光透過板７を内側容器１の下側で且つ光源４の上部に設けたため、光源４からの光が光透過板７を透過して、内側容器１に収容された植物に好適に照射されるという効果が得られたが、このような透明な光透過板７を用いることは本発明に必須の条件ではない。たとえば不透明なプレートにスリットを形成したようなものを、上記実施形態の透明な光透過板７に代えて、内側容器１を載置するプレートとして用いることができる。この場合には、光源からの光はプレートのスリットを通過して内側容器１に収容された植物に照射されることとなる。
【００５２】
また上記実施形態では、外側容器５としてＡＢＳ樹脂製のものを用いたため、外側容器５の強度が強く、熱や湿気にも強いという好ましい効果が得られたが、外側容器５の材質はＡＢＳ樹脂に限定されるのではなく、外側容器５の素材は限定されるものではない。たとえば金属製のものを用いることも可能であり、この場合には、塗装をせずとも光源４からの光が外側容器５の内壁面５ｂで反射され、内側容器１に収容された植物に光が効率的に照射されるという好ましい効果が得られることとなる。いずれにしても、外側容器５の素材は限定されるものではなく、要は光源からの光を透過させない素材で外側容器５が構成されていればよい。
【００５３】
さらに、上記実施形態では、光透過板７及び載置台６に内側容器１が載置された状態において、外側容器５の上端５ａの高さが内側容器１の上端１ａの高さよりも高くなるように内側容器１の高さが設定されていたため、光源４からの光が、より効率的に植物に照射されるという好ましい効果が得られたが、内側容器１の高さがこのように設定されることは、本発明に必須の条件ではない。
【００５４】
さらに、外側容器５や内側容器１の形状も上記実施形態の有底円筒状に限らず、有底角筒状であってもよい。
【符号の説明】
【００５５】
１  内側容器
２  植栽基盤
３  植物
４  光源
５  外側容器
【図１】
2014089833.tif 000003
【図２】
2014089833.tif 000004
【図３】
2014089833.tif 000005
【図４】
2014089833.tif 000006
【図５】
2014089833.tif 000007
【図６】
2014089833.tif 000008
【図７】
2014089833.tif 000009
【図８】
2014089833.tif 000010
【図９】
2014089833.tif 000011
【図１０】
2014089833.tif 000012
【図１１】
2014089833.tif 000013